【手続補正書】
【提出日】平成17年7月28日(2005.7.28)
【手続補正１】
【補正対象書類名】明細書
【補正対象項目名】特許請求の範囲
【補正方法】変更
【補正の内容】
【特許請求の範囲】
【請求項１】
運搬車両によって搬送されてくるスクラップを一時貯留しつつ解体及び／又は破断及び／又は分別するための隔離された固定ステージを備えたスクラップ処理ヤードであって、
前記固定ステージ上に、各々自走式解体作業車を配置してスクラップの解体及び／又は破断及び／又は分別を行う複数の作業領域を備えたことを特徴とするステージ型スクラップ処理ヤード。
【請求項２】
前記固定ステージの周縁の荷降ろし位置近傍に設置され、前記スクラップを運搬車両から荷降ろしする荷降ろしローダと、
前記荷降ろしローダのアーム作業領域内のステージ上又はステージに隣接して設置され、前記荷降ろしされたスクラップを切断するシャーとを更に備えたことを特徴とする請求項１に記載のステージ型スクラップ処理ヤード。
【請求項３】
前記隔離された固定ステージが、運搬車両が走行する走行路に対して位置を高くしてなることを特徴とする請求項１又は２に記載のステージ型スクラップ処理ヤード。
【手続補正２】
【補正対象書類名】明細書
【補正対象項目名】０００６
【補正方法】変更
【補正の内容】
【０００６】
【発明が解決しようとする課題】
本発明は、解体及び／又は破断及び／又は分別作業中にスクラップや機械等による生身の作業員に対する事故の発生を極力に減少させることができるスクラップ処理ヤードを得ることを目的とする。更に、効率よく搬送、解体及び／又は破断及び／又は分別することができ、しかも分別されたスクラップの品質向上にも繋がるスクラップ処理ヤードを得ることをも目的とする。
【手続補正３】
【補正対象書類名】明細書
【補正対象項目名】０００７
【補正方法】変更
【補正の内容】
【０００７】
【課題を解決するための手段】
請求項１に記載された発明に係るステージ型スクラップ処理ヤードは、運搬車両によって搬送されてくるスクラップを一時貯留しつつ解体及び／又は破断及び／又は分別するための隔離された固定ステージを備えたスクラップ処理ヤードであって、
前記固定ステージ上に、各々自走式解体作業車を配置してスクラップの解体及び／又は破断及び／又は分別を行う複数の作業領域を備えたものである。
【手続補正４】
【補正対象書類名】明細書
【補正対象項目名】０００８
【補正方法】変更
【補正の内容】
【０００８】
請求項２に記載された発明に係るステージ型スクラップ処理ヤードは、請求項１に記載の固定ステージの周縁の荷降ろし位置近傍に設置され、前記スクラップを運搬車両から荷降ろしする荷降ろしローダと、
前記荷降ろしローダのアーム作業領域内のステージ上又はステージに隣接して設置され、前記荷降ろしされたスクラップを切断するシャーとを更に備えたものである。
更に、請求項３に記載された発明に係るステージ型スクラップ処理ヤードは、請求項１又は２に記載の隔離された固定ステージが、運搬車両が走行する走行路に対して位置を高くしてなるものである。
【手続補正５】
【補正対象書類名】明細書
【補正対象項目名】０００９
【補正方法】変更
【補正の内容】
【０００９】
【発明の実施の形態】
本発明においては、運搬車両によって搬送されてくるスクラップを一時貯留しつつ解体及び／又は破断及び／又は分別するための隔離された固定ステージを備えたスクラップ処理ヤードであって、前記固定ステージ上に、各々自走式解体作業車を配置してスクラップの解体及び／又は破断及び／又は分別を行う複数の作業領域を備えることにより、生身の作業員がステージ上に立ち入ることを禁止し、自走式解体作業車のみがステージ上に立ち入ることにすることができる。これにより、効率よく解体及び／又は破断及び／又は分別作業を行うことができ、スクラップや機械等による生身の作業員に対する事故の発生を極端に減少させることができる。
【手続補正６】
【補正対象書類名】明細書
【補正対象項目名】００１０
【補正方法】変更
【補正の内容】
【００１０】
即ち、廃車された自動車によるスクラップ等のように、非鉄金属、プラスチック、ゴム等の素材に応じて分別されなければならない。このために、スクラップの解体及び／又は破断を行う必要も生じる。大きなもの構成が簡略化されているものであれば、荷降ろしローダや手作業によっても行うことが可能であるが、多くの場合には、荷降ろしローダや手作業では充分な解体及び／又は破断及び／又は分別作業が行えないし、手作業で行う場合にはヤード内に作業員が生身で移動することになり、スクラップや機械等による作業員に対する事故の発生の可能性が生じる。そこで、本発明では、ステージ上に、各々自走式解体作業車を配置してスクラップの解体及び／又は破断及び／又は分別を行う複数の作業領域を備えることにより、生身の作業員がステージ上に立ち入ることを禁止し、自走式解体作業車のみがステージ上に立ち入ることにすることができる。これにより、効率よく解体及び／又は破断及び／又は分別作業を行うことができ、スクラップや機械等による生身の作業員に対する事故の発生を極端に減少させることができる。
【手続補正７】
【補正対象書類名】明細書
【補正対象項目名】００１１
【補正方法】変更
【補正の内容】
【００１１】
自走式解体作業車としては、荷降ろしされたスクラップを構成する素材に応じて適宜選択可能である。例えば、スクラップが自動車のシャーシ等のように非鉄金属の分別の必要がないものでは、解体及び／又は破断作業を効率よく行うために、自走車両の車体上に起伏・旋回可能に搭載された油圧作動ブームと、このブーム先端に取付けられた開閉作動するスクラップ解体用の開閉作業工具とを備えた自走式解体作業車が作業領域に配置される。
【手続補正８】
【補正対象書類名】明細書
【補正対象項目名】００１２
【補正方法】変更
【補正の内容】
【００１２】
また、作業効率を向上させるために、前述の自走式解体作業車に、車体の前部又は後部に起伏可能に装備された開閉駆動される左右一対のアームと、これら各アームに取付けられたスクラップ対象物をアーム間で挟持するための挟持具とを更に備えたマルチ型の自走式解体作業車を作業領域に配置してもよい。
【手続補正９】
【補正対象書類名】明細書
【補正対象項目名】００１３
【補正方法】変更
【補正の内容】
【００１３】
また、スクラップが自動車のエンジン等のように非鉄金属の分別の必要があるものでは、解体及び／又は破断及び／又は分別作業を効率よく行うために、作業工具としてリフティングマグネットを備えた自走式解体作業車を作業領域に配置する。このリフティングマグネットを備えた作業車については、単独の作業車であっても、前述のマルチ型の自走式解体作業車の着脱可能な工具の一つとしてもよい。
【手続補正１０】
【補正対象書類名】明細書
【補正対象項目名】００１４
【補正方法】変更
【補正の内容】
【００１４】
本発明での作業領域については、複数の自走式解体作業車の各々に対してステージ上の領域を決定されればよく、これらの作業領域については、複数の自走式解体作業車で重複した領域を含むことを禁止しない。
【手続補正１１】
【補正対象書類名】明細書
【補正対象項目名】００１５
【補正方法】変更
【補正の内容】
【００１５】
また、離れた作業領域間でのスクラップの受け渡しについて、これら作業領域間を移動する運搬車両、移送コンベア、リフター等のスクラップ受け渡し手段を備えてもよい。
【手続補正１２】
【補正対象書類名】明細書
【補正対象項目名】００１６
【補正方法】変更
【補正の内容】
【００１６】
また、本発明では、スクラップ処理ヤードであって、このステージの周縁の荷降ろし位置近傍に設置され、スクラップを運搬車両から荷降ろしする荷降ろしローダと；荷降ろしローダのアーム作業領域内のステージ上又はステージに隣接して設置され、荷降ろしされたスクラップを切断するシャーと；ステージの周縁に設定され、運搬車両を予め定められた方向にのみ走行させるための走行路とを備えたものであるため、効率よく搬送、解体及び／又は破断及び／又は分別することができ、しかも分別されたスクラップの品質向上にも繋がる。
【手続補正１３】
【補正対象書類名】明細書
【補正対象項目名】００１７
【補正方法】変更
【補正の内容】
【００１７】
また、運搬車両を予め定められた方向にのみ走行させるための走行路をステージの周縁に設定されており、荷降ろし位置近傍にはスクラップを運搬車両から荷降ろしする荷降ろしローダが設置されているため、予め定められた方向にのみ走行させるための走行路に従っい渋滞も少なく運搬車両が荷降ろし位置に短時間で到達することができ、スクラップの荷降ろしは主にローダによってスムーズに行われ、しかも、荷降ろしを終えた運搬車両は、予め定められた方向にのみ走行させるための走行路によって渋滞なく発車することができる。
【手続補正１４】
【補正対象書類名】明細書
【補正対象項目名】００１８
【補正方法】変更
【補正の内容】
【００１８】
尚、本発明での隔離された固定ステージとしては、周縁の走行路に対して、隔離されればよく、例えば、走行路に対して位置が高く又は低くした固定ステージでもよく、塀や壁を用いて走行路を含む周囲に対して隔離された固定ステージでもよい。
【手続補正１５】
【補正対象書類名】明細書
【補正対象項目名】００１９
【補正方法】変更
【補正の内容】
【００１９】
荷降ろしされたスクラップは、ローダのアーム作業領域内のステージ上又はステージに隣接して設置されたシャーで切断される。もし、運搬車両が搬送してくるスクラップが全て鉄製のものであれば、ローダによって運搬車両から直接シャーの投入口に投入され、遅滞なく所定の大きさに切断され、別の運搬車両によって運び出されればよい。
【手続補正１６】
【補正対象書類名】明細書
【補正対象項目名】００２７
【補正方法】変更
【補正の内容】
【００２７】
【発明の効果】
本発明は以上説明した通り、解体及び／又は破断及び／又は分別作業中にスクラップや機械等による生身の作業員に対する事故の発生を極力に減少させることができるスクラップ処理ヤードを得ることができ、更に、効率よく搬送、解体及び／又は破断及び／又は分別することができ、しかも分別されたスクラップの品質向上にも繋がるスクラップ処理ヤードを得ることができるという効果がある。